(57)【特許請求の範囲】
【請求項１】
カプラ本体と、前記カプラ本体から延出されるケーブルとを備えるカプラ部材と、
前記カプラ部材を収容する収容部を有する本体部と、
前記カプラ部材が前記収容部に収容された状態において、前記カプラ部材が前記収容部から排出されることを規制する爪部を有するロック部材と、を有し、
前記カプラ部材には、前記ケーブルが配置される溝部が形成されており、
前記ケーブルが前記溝部に配置された状態で、前記カプラ部材が前記収容部に収容された際に、前記爪部が前記カプラ本体に係合するとともに、前記ケーブルが前記溝部から排出されないように、前記爪部が前記溝部の少なくとも一部を覆うことを特徴とする電子機器。
【請求項２】
前記カプラ部材は、前記ケーブルを通して前記本体部への給電を行うカプラであり、
前記収容部は、電池を収容可能にする電池収容部を兼ねており、
前記ロック部材は、前記電池を前記収容部に収容した場合に、前記電池が前記収容部から排出されることを規制することを特徴とする請求項１に記載の電子機器。
【請求項３】
前記カプラ部材が前記収容部に収容されたときに、前記ケーブルを前記収容部の外へ引き出すために前記収容部の開口を形成する部分には、切り欠き部が形成されており、
前記爪部は、前記収容部において前記切り欠き部の近傍に配置されることを特徴とする請求項１又は２に記載の電子機器。
【請求項４】
前記カプラ部材が前記収容部に収容されたときに、前記ロック部材は、前記ケーブルを前記収容部の外に引き出す方向と直交する方向から前記爪部が前記カプラ本体に係合することを特徴とする請求項３に記載の電子機器。
【発明の詳細な説明】
【技術分野】
【０００１】
本発明は、電子機器に関し、特にケーブルを備える部材を内部に収容可能な電子機器に関する。
【背景技術】
【０００２】
デジタルカメラ等の電子機器として、機器本体に電池を収容する電池収容部を設け、電池収容部の底面に電池との接続端子を配設し、この接続端子に電池収容部に収容された電池の電極を接触させることで電池から機器本体に電力を供給するものが知られている。また、カプラを電池に代えて電池収容部に収容し、カプラを外部電源に接続することによって機器本体に電力を供給することで機器本体を動作させる構成が知られている。
【０００３】
このような電池収容部を備える電子機器について、電源ケーブルを備えるカプラを電池収容部に装着したときに、電源ケーブルを外部に引き出すための延出口を通して電源ケーブルを機器本体外へ延出する構造が提案されている（特許文献１参照）。この特許文献１に記載された技術では、電源ケーブルの延出口に弾性部材で形成した蓋部材を配置することによって電池収容部にゴミ等が入り込むことを防止している。また、特許文献１には、この蓋部材が使用者の指で押される等したときの外力によって開口内部に押し込まれてしまうことを防止する構造が提案されている。
【先行技術文献】
【特許文献】
【０００４】
【特許文献１】特開２００５−６４３６５号公報
【発明の概要】
【発明が解決しようとする課題】
【０００５】
しかしながら、上記の特許文献１に記載された技術では、電池収容部に電源ケーブルを備えるカプラを収容した後に、弾性部材で形成された蓋部材の反力によって電源ケーブルが電池収容部側に反り返りやすい。そのため、ユーザが電池収容部の開口を開閉する電池蓋を閉めようとしても、電源ケーブルの反りによって電池蓋が電源ケーブルを挟み込みやすく、電池蓋が閉め難くなってしまうことがある。
【０００６】
本発明は、カプラ部材が収容部に収容された際に、ロック部材によって、カプラ部材が収容部から排出されることを規制するとともに、ケーブルが溝部から排出されることを防止することを目的とする。
【課題を解決するための手段】
【０００７】
本発明に係る電子機器は、カプラ本体と、前記カプラ本体から延出されるケーブルとを備えるカプラ部材と、前記カプラ部材を収容する収容部を有する本体部と、前記カプラ部材が前記収容部に収容された状態において、前記カプラ部材が前記収容部から排出されることを規制する爪部を有するロック部材と、を有し、前記カプラ部材には、前記ケーブルが配置される溝部が形成されており、前記ケーブルが前記溝部に配置された状態で、前記カプラ部材が前記収容部に収容された際に、前記爪部が前記カプラ本体に係合するとともに、前記ケーブルが前記溝部から排出されないように、前記爪部が前記溝部の少なくとも一部を覆うことを特徴とする。
【発明の効果】
【０００８】
本発明によれば、カプラ部材が収容部に収容された際に、ロック部材によって、カプラ部材が収容部から排出されることを規制するとともに、ケーブルが溝部から排出されることを防止することができる。
【図面の簡単な説明】
【０００９】
【図１】本発明の実施形態に係るデジタルカメラの斜視図である。
【図２】図１に示す電池蓋が開いた状態を示す斜視図である。
【図３】図２に示す電池収容部に収容可能なカプラの構造を示す図である。
【図４】図２に示す電池収容部に図３に示すカプラが収容された状態を示す斜視図である。
【図５】図２に示す電池収容部に図３に示すカプラが収容された状態を示す側面断面図である。
【発明を実施するための形態】
【００１０】
以下、本発明の実施形態について、添付図面を参照して詳細に説明する。ここでは、本発明に係る電子機器として、撮像装置の一例であるデジタルカメラを取り上げることとするが、本発明はこれに限定されるものではない。
【００１１】
＜デジタルカメラの外観構造＞
図１は、本発明の実施形態に係るデジタルカメラの斜視図である。図１（ａ）はデジタルカメラを斜め正面部側から見た外観斜視図であり、図１（ｂ）はデジタルカメラを斜め背面部側から見た外観斜視図である。
【００１２】
デジタルカメラの本体部であるカメラ本体１００の正面部には、沈胴式の鏡筒部を備える撮像ユニット１０と発光部１３が設けられており、カメラ本体１００の上面部には、電源ボタン１１とレリーズボタン１２が配置されている。カメラ本体１００に対して電源が供給可能な状態においてユーザが電源ボタン１１を押下すると、撮像ユニットを構成する鏡筒部が繰り出して、撮影が可能になる。そして、撮影が終了する等して、再度、ユーザが電源ボタン１１を押下すると、鏡筒部がカメラ本体１００側に繰り込んで収容される。
【００１３】
鏡筒部が繰り出した撮影状態（電源オン状態）でユーザがレリーズボタン１２を押下すると、被写体に対する合焦を経て、撮影が行われる。発光部１３は、撮影環境に応じて制御部（不図示）が反射光の光量不足を判定した場合或いはユーザが任意に発光部１３の発光を選択した場合に発光し、これにより、良質な画像を得ることができる。
【００１４】
カメラ本体１００の側面部にはストラップ取り付け部１４が設けられており、ストラップ取り付け部１４には、カメラ本体１００を持ち運ぶ際に用いられるストラップアクセサリが取り付けられる。
【００１５】
カメラ本体１００の背面部には表示部１５が設けられており、表示部１５には、撮影時の画像／映像や撮影されて記憶媒体（不図示）に記憶された画像／映像、カメラ本体１００での動作条件を設定／変更するための種々の情報が表示される。ユーザは、表示部１５に隣接して配置されている操作ボタン１６及びモード切り替えスイッチ１７を操作することによって、表示部１５を通して意図した撮影条件及びカメラ本体１００の動作条件を設定することができる。
【００１６】
カメラ本体１００の底面部には、手ブレを抑えた撮影やセルフタイマーでの撮影等を行うために三脚を取り付けるための三脚取り付け部１８が配設されている。また、カメラ本体１００の底面部には、カメラ本体１００に電源を供給する電池をカメラ本体１００に装着するための収容部である電池収容部（図１に不図示）と、電池収容部の開口を開閉する蓋体である電池蓋１９が設けられている。ユーザは、電池蓋１９を開いて、電池の挿抜を行う。
【００１７】
なお、本実施形態では、電池蓋１９を開いた状態において、撮影した画像を記憶する外部記憶媒体の挿抜を行うこともできるようになっている。外部記憶媒体としては、例えば、内部にフラッシュメモリ等を搭載したメモリカード等を採用することができる。カメラ本体１００の側面部において電池蓋１９の近傍には、ケーブル蓋２０が設けられている。このケーブル蓋２０については、後述する。
【００１８】
＜電池収容部の構成＞
図２は、図１（ｂ）に示す電池蓋１９を開いた状態を示す斜視図である。図２（ａ）は、電池蓋１９を開いたときの開口部周りの全体的な構成を示しており、図２（ｂ）は、ケーブル蓋２０周りの詳細な構成を示している。電池蓋１９は、電池収容部２１に収容された電池或いは後述するカプラ（カプラ部材）を外部から保護する。電池蓋１９を開くと、電池を収容する電池収容部２１が外部に露出する。ユーザは、電池収容部２１に電池を装着するときには、図２（ａ）のように電池蓋１９を開いて、電池を電池収容部２１へ挿入する。
【００１９】
このとき、図２（ａ）に示すように、電池収容部２１の端部には、ロック部材２２が図示の通りに配設されており、ロック部材２２は回転軸（不図示）を中心として回転可能な状態でカメラ本体１００に保持されている。そして、ロック部材２２は、ロック部材２２の先端部に形成されている爪部２２Ａが電池収容部２１を塞ぐ方向に付勢手段（不図示）によって付勢されている。そのため、電池収容部２１に電池を挿入する際には、ロック部材２２を付勢手段による付勢力に抗する方向に回転させて、ロック部材２２の爪部２２Ａが電池収容部２１を塞がない状態にする必要がある。
【００２０】
電池が電池収容部２１内に収容された後にロック部材２２を解放すると、ロック部材２２は付勢手段による付勢力の作用によって回転し、爪部２２Ａが電池収容部２１を塞ぐと共にロック部材２２の爪部２２Ａが電池の底面に係合する。これにより、電池の脱落を防止することができる。
【００２１】
電池蓋１９を閉じるときには、回転軸１９Ｃを中心に電池収容部２１を塞ぐ方向に電池蓋１９を回転させ、電池蓋１９が電池収容部２１を塞ぐように被さった状態で更に電池蓋１９を三脚取り付け部１８側へスライドさせる。これにより、電池蓋１９に形成されている複数の係合部１９Ａと電池収容部２１の周囲に形成されている複数の係合受け部２３とが係合し、電池蓋１９がカメラ本体１００に固定される。
【００２２】
ここで、電池と電池収容部２１との間には、電池をスムーズに挿抜することができるように、一定の隙間が設けられている。そのため、電池のロック部材２２が係合していない電池の端部（電池における回転軸１９Ｃ側の端部）では、この隙間の分だけ、ロック部材２２側を起点として電池が振れてしまうことになる。このような状態のままであると、カメラ本体１００の動作時に意図しない外力がカメラ本体１００に加わったときに、電池とカメラ本体１００との電気的接触が不安定になり、カメラ本体１００への電源供給が一時的に停止してしまう不具合が生じるおそれがある。
【００２３】
そこで、このような不都合が生じないように、本実施形態に係るデジタルカメラでは、図２（ａ）に示すように、電池蓋１９の２箇所に凸部１９Ｂを設けて、電池蓋１９を閉じたときに凸部１９Ｂを電池の露出面に近接させることで、電池の動きを規制している。これにより、電池収容部２１内において電池にブレが生じることを防止して、前述の電源供給の一時的停止等の不具合の発生を防止することができる。
【００２４】
電池収容部２１に収容された電池を取り出すときには、電池蓋１９を三脚取り付け部１８から離れるようにスライドさせた後に、電池蓋１９を回転軸１９Ｃ回りに回転させて、電池蓋１９を開ける。ここで、電池収容部２１の底面には、電池を外部へ排出する方向に付勢する排出バネ（不図示）が設けられている。そのため、ロック部材２２の爪部２２Ａによる電池のロックを解除すると、排出バネの付勢力によって電池は電池収容部２１から押し出され、これにより電池を取り出すことができる。
【００２５】
図２（ｂ）に示すように、電池収容部２１の開口縁となるカメラ本体１００の側面には切り欠き部２４が形成されており、切り欠き部２４を塞ぐように切り欠き部２４とほぼ同等の輪郭形状を有するケーブル蓋２０が配置されている。ケーブル蓋２０は、少なくともプラスチック製の電池蓋１９に比べて、弾性変形し易いゴム等の弾性材料によって形成されている。
【００２６】
ケーブル蓋２０の上部には、切り欠き部２４の幅方向両側へ延出するように一対の抜け止め部２０Ａが一体的に形成されている。抜け止め部２０Ａは、カメラ本体１００に形成されている一対の溝部２５に挿入されている。ここで、抜け止め部２０Ａを含めたケーブル蓋２０の幅を切り欠き部２４の幅よりも若干長く設定することにより、ケーブル蓋２０が弾性変形し、ケーブル蓋２０が切り欠き部２４に係止される。
【００２７】
また、ケーブル蓋２０は、不図示の固定方法により抜け止め部２０Ａの他端にあたる保持部２０Ｂにおいてカメラ本体１００に保持されている。前述の通り、ケーブル蓋２０は、弾性変形し易いゴム等の弾性材料によって形成されている。そのため、溝部２５に係止されている抜け止め部２０Ａ側を外側へ押し出すことで、保持部２０Ｂを中心に回転（屈曲）して弾性変形させて、切り欠き部２４を開口させることができる。
【００２８】
＜カプラ（カプラ部材）の構造＞
本実施形態では、ケーブルが接続された構造を有し、電池収容部２１に収容可能な部材の一例として、外部電源からデジタルカメラに電力を供給するために用いられるカプラを取り上げる。図３はカプラの構造を示す図である。図３（ａ）はカプラの全体斜視図であり、図３（ｂ）はカプラが備えるケーブルがカプラの本体から延出する部分の拡大斜視図であり、図３（ｃ）はケーブル延出部の断面図である。
【００２９】
図３（ａ）に示すように、カプラ２００は、カプラ２００の本体であるカプラ本体２０１からケーブル２０３が外部へ延出する構造を有しており、ケーブル２０３の他端には接続部２０４が設けられている。カプラ本体２０１は、電池収容部２１に収容される電池の外形寸法とほぼ同じ大きさとなっている。カプラ本体２０１には電極２０２が形成されており、カプラ本体２０１がカメラ本体１００の電池収容部２１に装着されると、電極２０２はカメラ本体１００側の接続コネクタと接続される。これにより、カプラ２００はカメラ本体１００に設けられているＤＣ／ＤＣコンバータ（不図示）を含む電源制御回路に電気的に接続される。よって、例えば、ＡＣ電源に接続されたＡＣ／ＤＣコンバータにカプラ２００の接続部２０４を接続すると、ＡＣ電源の交流電圧がＡＣ／ＤＣコンバータにより所望の直流電圧に変換され、カプラ２００を通してカメラ本体１００に供給される。
【００３０】
図３（ｂ），（ｃ）に示すように、カプラ本体２０１には、その内部に配設されている回路基板（不図示）から孔部２０１Ｆを通じて配線されているケーブル２０３を外部に引き出すためのスリット部２０１Ａが形成されている。スリット部２０１Ａの一方の内壁には、突出部２０１Ｂ，２０１Ｃが形成されており、他方の内壁には、突出部２０１Ｂ，２０１Ｃと対向するように突出部２０１Ｄ，２０１Ｅが形成されている。これらの突出部２０１Ｂ〜２０１Ｅは、ケーブル２０３がスリット部２０１Ａ内に収まるようにケーブル２０３を係止する。
【００３１】
なお、カプラ２００は、図３（ｃ）に２点鎖線で示されているように、ケーブル２０３の引き出し点である孔部２０１Ｆを起点として、ケーブル２０３の引き出し方向を１８０°切り替えることが可能な構造となっている。これにより、例えば、本実施形態に係るデジタルカメラとは異なる構造を有する電子機器に対してカプラ２００を装着する際に、ケーブル２０３の引き出し方向を適切に設定することが可能になる。また、電子機器の内部におけるカプラ本体２０１との電気的接続を行う接続コネクタのレイアウトに対する自由度が大きくなり、電子機器を構成する様々な構造体をより高密度に集約配置して、電子機器の小型化を実現することが可能になる。
【００３２】
ケーブル２０３の引き出し方向を図３（ｃ）に実線で示す方向から２点鎖線で示す方向へ変更する場合、先ず、ケーブル２０３の延出方向を反転させるようにケーブル２０３を引き回す。このとき、スリット部２０１Ａにおいて、突出部２０１Ｂ，２０１Ｄとケーブル２０３の延出部（孔部２０１Ｆから延び出ている部分）とが接触することになる。ここで、ケーブル２０３の芯線を取り巻く被覆材は一定の弾性力を有する材料で構成されている。そのため、ユーザは、一定量の力を加えてケーブル２０３を引き回すことにより、突出部２０１Ｂ，２０１Ｄによる係止を解除し、ケーブル２０３の延出部をスリット部２０１Ａから引き出すことができる。
【００３３】
更にケーブル２０３の反転を継続すると、ケーブル２０３の延出部は突出部２０１Ｃ，２０１Ｅと接触するが、更に一定の力を加え、ケーブル２０３の被覆材の弾性を利用して、ケーブル２０３を突出部２０１Ｃ，２０１Ｅによる係止位置へ押し込む。こうして、ケーブル２０３の引き出し方向の変更が完了する。
【００３４】
なお、突出部２０１Ｂ，２０１Ｄと突出部２０１Ｃ，２０１Ｅとは、カプラ本体２０１の幅方向中心について対称な位置に形成することが好ましい。これにより、カプラ本体２０１に対してケーブル２０３の引き出し方向を自在に切り替え、安定的にスリット部２０１Ａの内部に係止することができる。
【００３５】
＜カメラ本体１００におけるカプラ２００の装着状態＞
図５は、カプラ２００が電池収容部２１に収容された状態を示す図であり、図５（ａ）は電池蓋１９が開かれた状態を示す斜視図であり、図５（ｂ）は電池蓋１９が閉じられた状態を示す斜視図である。
【００３６】
前述した電池の装着方法と同様に、ロック部材２２に対して電池収容部２１を塞ぐ方向への付勢を解除しながら、カプラ本体２０１を電池収容部２１へ収容する。こうして、カプラ本体２０１の一定量が電池収容部２１に挿入されると、カプラ本体２０１から延出しているケーブル２０３とカメラ本体１００に対して抜け止め部２０Ａで係止しているケーブル蓋２０とが接触する。その際に、ユーザはケーブル蓋２０の抜け止め部２０Ａ側をカメラ本体１００の外側へ押し出して、切り欠き部２４を開口させればよい。これにより、図４（ａ）に示されるように、ケーブル２０３を切り欠き部２４内に配設させながら、カプラ本体２０１を電池収容部２１へ完全に収容することができる。
【００３７】
図４（ａ）の状態で、電池蓋１９を回転軸１９Ｃ回りに回転させて電池収容部２１を塞ぎ、更に、電池蓋１９が電池収容部２１を塞いだ状態で、電池蓋１９を三脚取り付け部１８側へスライドさせる。これにより、電池蓋１９に形成されている係合部１９Ａと電池収容部２１の周囲に形成されている係合受け部２３とが係合し、図４（ｂ）に示されるように、カプラ２００のカメラ本体１００への収容が完了する。
【００３８】
前述の通り、カプラ本体２０１の外形寸法は電池収容部２１に収容される電池の外形寸法とほぼ同じである。ここで、電池蓋１９に形成されている凸部１９Ｂを、カプラ本体２０１のスリット部２０１Ａの幅よりも長くなるように設定しておく。これにより、電池蓋１９を閉めたときに、凸部１９Ｂがカプラ本体２０１のスリット部２０１Ａを形成する両壁（底面）に近接して、カプラ本体２０１の動きを規制することができる。よって、図４（ｂ）の状態において意図しない外力がカメラ本体１００に加わったときでも、カプラ本体２０１とカメラ本体１００との電気的接触が不安定になることを防止することができる。したがって、カメラ本体１００への給電が一時的に停止してしまう等の不具合の発生を回避することができる。なお、当然に、電池収容部２１に電池を収容した場合にも、電池の動きが十分に規制されるように、凸部１９Ｂの形状は設定される。
【００３９】
本実施形態では、電池蓋１９を常にスムーズに閉じることができるように、ロック部材２２の爪部２２Ａがケーブル２０３を係止する構造としており、その構造について、図４（ａ）及び図５を参照して詳細に説明する。図５は、カプラ２００が電池収容部２１に収容された状態をカメラ本体１００の側面側から見た断面図である。
【００４０】
電池収容部２１にカプラ本体２０１を完全に装着すると、ロック部材２２は付勢部材（不図示）の付勢力の作用によって、電池収容部２１を塞ぐ位置へと回転し、爪部２２Ａがカプラ本体２０１の底面に係合することで、カプラ本体２０１を係止する。このとき、カプラ２００は、カプラ本体２０１に対してケーブル２０３の引き出し方向を図４（ｃ）に示した２方向で選択可能な構造になっているため、一定の力がケーブル２０３に掛かってしまうと、ケーブル２０３が突出部２０１Ｂ，２０１Ｄによる係止から解かれて、スリット部２０１Ａの外側に飛び出してしまうおそれがある。こうしてケーブル２０３がスリット部２０１Ａから外部に飛び出した状態で電池蓋１９を閉めようとすると、ケーブル２０３がカメラ本体１００の側面と電池蓋１９との間に挟み込まれてしまい、ユーザにとっての利便性が低下してしまう。
【００４１】
このような問題が生じないように、本実施形態では、ロック部材２２の爪部２２Ａが、ケーブル２０３の一部を覆う構造となっている。すなわち、図４（ａ）及び図５に示されるように、爪部２２Ａが、カプラ本体２０１のスリット部２０１Ａの内壁から図５に示される長さＬ（オーバーラップ長さＬ）だけ、スリット部２０１Ａの上方にオーバーラップするように構成されている。そのため、ケーブル２０３に対してスリット部２０１Ａから引き出す方向に外力が加わっても、爪部２２Ａがケーブル２０３の飛び出しを抑制するため、ケーブル２０３がカメラ本体１００の側面と電池蓋１９との間に挟み込まれる不具合の発生を抑えることができる。
【００４２】
ここで、爪部２２Ａのオーバーラップ長さＬを、内壁から突出している突出部２０１Ｂの突出長さＭよりも大きくすることにより、ケーブル２０３がカメラ本体１００の側面と電池蓋１９との間で挟み込まれることを、より確実に防止することができる。なお、突出部２０１Ｃ〜２０１Ｅの突出長さは、突出部２０１Ｂの突出長さと同じとされる。
【００４３】
また、本実施形態では、ロック部材２２を切り欠き部２４の近傍に配設することにより、ケーブル２０３の延出部の先端側（接続部２０４側）を押さえることができるため、ケーブル２０３の飛び出しを効果的に防止することができる。更に、ロック部材２２の爪部２２Ａがカプラ本体２０１を押さえながら、ケーブル２０３を外部へ引き出す方向と直交する方向からケーブル２０３の上方に被さるように、ロック部材２２を配置している。これにより、ケーブル２０３を切り欠き部２４に配設する際に、ロック部材２２がその作業を阻害することがないため、作業をスムーズに行うことができる。
【００４４】
＜他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、本発明はデジタルカメラに限らず、携帯電話やビデオカメラ等、ケーブルを有する部材を収容可能な収容部を有する種々の電子機器に適用される。
【符号の説明】
【００４５】
１９    電池蓋
２１    電池収容部
２２    ロック部材
２２Ａ    爪部
２４    切り欠き部
１００    カメラ本体
２００    カプラ
２０１Ａ    スリット部
２０１Ｂ，２０１Ｃ，２０１Ｄ，２０１Ｅ    突出部
２０３    ケーブル
【図１】
0005967925.tif 000002
【図２】
0005967925.tif 000003
【図３】
0005967925.tif 000004
【図４】
0005967925.tif 000005
【図５】
0005967925.tif 000006